(57)【要約】【課題】電源ケーブルが断線して万が一にも発火した場合、水受槽への延焼を防止できる洗濯乾燥機を提供することにある。【解決手段】外箱１内に水受槽２が弾性支持され、この水受槽２内にドラムが配設されており、このドラムを駆動する駆動モータ５が水受槽２の背面部４に取付けられている。電源ケーブル８は防炎板７に取付けられている。電源ケーブル８と水受槽２との間には防炎板７があり、電源ケーブル８が断線によるアークで発火しても、その炎が防炎板７により水受槽２への延焼を防ぐことができる。【選択図】図１
2010057881.tif 000002
【特許請求の範囲】
【請求項１】
外箱と、
この外箱の内部に弾性的に支持され、洗濯水を貯水する水受槽と、
この水受槽内に設けられ、洗濯物を収容して回転駆動されるドラムと、
前記外箱の底部と前記水受槽に固定された電源ケーブルとを具備し、
前記水受槽の前記電源ケーブルを固定する部分に、前記水受槽と前記電源ケーブルとの間に位置して難燃素材を使用した防炎板を設けたことを特徴とする洗濯乾燥機。
【請求項２】
前記防炎板は、前記電源ケーブルの固定部を有することを特徴とする請求項１に記載の洗濯乾燥機。
【請求項３】
前記防炎板は、前記水受槽の背面に取付けられ、前記電源ケーブルの発火した時の炎の伸びを阻止する庇を有することを特徴とする請求項１または２に記載の洗濯乾燥機。
【請求項４】
前記水受槽には信号ケーブルが配置され、この信号ケーブルと前記電源ケーブルから分離された信号ケーブルとがコネクタで連結され、このコネクタを収納する収納部を防炎板が前記水受槽側に押さえるようにしたことを特徴とする請求項１ないし３の何れかに記載の洗濯乾燥機。
【請求項５】
前記防炎板は、前記水受槽の周壁底部に取り付けられ、前記電源ケーブルを固定する部分を囲う下向きの壁を設けたことを特徴とする請求項２に記載の洗濯乾燥機。
【請求項６】
前記下向きの壁を２重以上に設けたことを特徴とする請求項５に記載の洗濯乾燥機。
【請求項７】
前記防炎板は、前記水受槽に備えられた不燃部材に臨む前記壁の部分に切り欠き部を有することを特徴とする請求項５に記載の洗濯乾燥機。
【請求項８】
前記防炎板の前記電源ケーブルの固定部の周囲に上方に凹となる溝を設けたことを特徴とする請求項５または６に記載の洗濯乾燥機。
【発明の詳細な説明】
【技術分野】
【０００１】
本発明は、電源ケーブルを水受槽に固定した洗濯乾燥機に関する。
【背景技術】
【０００２】
洗濯機においては、洗濯運転を制御する制御基板が、上部外装体内に収容されているものがある。上記制御基板は、過電流が流れると発火し上記上部外装体に類焼する可能性があった。このため、上記洗濯機は、上記制御基板と上記上部外装体との間に難燃性または不燃性の材料で構成されたカバー体を備えている（例えば、特許文献１参照）。
【特許文献１】特開２００８−６７９０１号公報
【発明の開示】
【発明が解決しようとする課題】
【０００３】
洗濯機、特にドラム式の洗濯乾燥機では、外箱内に水受槽が弾性支持されており、その水受槽内にドラムが配置されている。このドラムは、水受槽の背面部に設けられたモータによって回転駆動されるようになっている。従って、モータに電源を供給するための電源ケーブルが水受槽の背面部に配置されている。
【０００４】
上記電源ケーブルは、上記水受槽の背面部に固定される部分と上記外箱の底部に固定されている固定部とを有する。このため、洗濯物を収容したドラムが回転駆動されることに伴って水受槽が振動すると、上記電源ケーブルの上記水受槽の背面部に固定される部分に繰り返し屈曲がかかる。当該繰り返し屈曲は、例えば洗濯機の設置床面が異常に弱いなどの事情により脱水時に通常より振動が大きくなることがあり、このような異常な状態が長期間にわたると、上記電源ケーブル断線の可能性が高まり、その場合、そのまま使い続けると、当該断線箇所からアークが発生することも考えられる。
【０００５】
この種の洗濯乾燥機においては、通常、前述のようなアークが発生して過電流が流れると、内蔵のブレーカのトリップ若しくは電流ヒューズの溶断により電源遮断状態となる安全対策が施されている。
しかし、上記ブレーカ若しくは上記電流ヒューズが万が一劣化故障していた場合は、上記アークが持続的に発生し、その周辺部から発火して上記水受槽に延焼するという想定外の事故の発生の可能性は否定できない。
【０００６】
本発明は上記事情に鑑みてなされたもので、その目的は、電源ケーブルが断線して万が一にも発火した場合であっても、水受槽への延焼を防止できる洗濯乾燥機を提供することにある。
【課題を解決するための手段】
【０００７】
上記目的を達成するため、本発明の洗濯乾燥機は、外箱と、この外箱の内部に弾性的に支持され、洗濯水を貯水する水受槽と、この水受槽内に設けられ、洗濯物を収容して回転駆動されるドラムと、前記外箱の底部と前記水受槽に固定された電源ケーブルとを具備し、前記水受槽の前記電源ケーブルを固定する部分に、前記水受槽と前記電源ケーブルとの間に位置して難燃素材を使用した防炎板を設けたことを特徴とする。
【発明の効果】
【０００８】
本発明によれば、水受槽と電源ケーブルとの間に難燃素材を使用した上記防炎板を設けたことにより、万が一上記電源ケーブルが断線し発火しても、その炎は当該防炎板で抑えられ上記水受槽に延焼することを防止することができる。
【発明を実施するための最良の形態】
【０００９】
（第１の実施形態）
以下、本発明の第１の実施形態につき、図１ないし図４を参照して説明する。
図２に示すように、外箱１内には、前面が開放する横軸形の水受槽２が複数の弾性支持機構３を介して弾性支持されており、この水受槽２内には、前面に洗濯物の出入口を有する横軸形のドラム（図示せず）が回転可能に配設されている。なお、図示はしないが、外箱１の上部１ａには、水受槽２内に給水する給水装置が配設され、外箱１の底部１ｂには、水受槽２内から排水する排水装置が配設されている。
【００１０】
水受槽２の背面部４には、駆動モータ５が固定されている。この駆動モータ５は、アウタロータ型の三相ブラシレスＤＣモータからなり、前記図示しないドラムをダイレクトドライブ方式により回転駆動する。そして、この駆動モータ５は、洗い、すすぎ時には、ドラムを低速度で正逆転駆動し、脱水時には，ドラムを一方向に高速度で回転駆動し、乾燥時には、ドラムを一方向に低速度で回転駆動（必要に応じて反転）するようになっている。
【００１１】
外箱１内の底部１ｂには、図示はしないが、ヒートポンプ（冷凍サイクル）が配置されている。このヒートポンプは、圧縮機（コンプレッサ）で圧縮した気体冷媒を凝縮器（コンデンサ）で凝縮して液体冷媒とし、この液体冷媒を蒸発器（エバポレータ）で蒸発させて気体冷媒とし、再び圧縮機に送り込む周知の構成である。そして、外箱１内には、図示しない送風ファンが回転されると、空気が凝縮器で加熱されて温風となり、これが水受槽２の背面部４のダクト６を介してドラム内に供給されて洗濯物から湿気を奪って排気となり、その排気はドラムからヒートポンプ側に放出されて蒸発器で除湿され、再び凝縮器で加熱されることを繰り返す循環経路が構成されている。
【００１２】
次に、本実施形態のおける電気的構成について述べる。
外箱１内の上部１ａには、図示していないが、操作部（各種操作スイッチ）、表示部（各種表示器）を備えた操作パネルが配置されている。外箱１の底部１ｂには、図示はしないが、マイクロコンピュータを主体に構成された制御装置と、この制御装置により制御されるインバータ及び各種駆動部（例えば給水弁、排水弁、コンプレッサ等用）とが設けられている。そして、外箱１の底部１ｂには、図示はしないが、商用単相交流電源から高電圧（例えば２８２Ｖ）の直流駆動電源を得てインバータに与える駆動電源回路、及び、上記商用単相交流電源から低電圧（例えば５Ｖ、１５Ｖ）の直流制御電源を得る制御電源回路が設けられている。そして、当該制御電源回路の出力端子に接続されて制御電源を前記操作パネルに供給するための制御電源線及び前記操作パネルと前記制御装置とを接続する信号線は、外箱１内の隅角部に沿って配置されている。
【００１３】
図１及び図２に示すように、水受槽２の背面部４には後述するような防炎板７がねじ止めされ、この防炎板７の下端部には、難燃性材料からなるクランプ９がねじ止めされている。電源ケーブル８は、外箱１の底部１ｂから導出され、電源ケーブル８の一部を被覆する難燃性クッション８ａとともにクランプ９に挟支され防炎板７に固定されている。従って、クランプ９が防炎板７に電源ケーブル８を固定する固定部に相当する。電源ケーブル８は、１１本の電線の束であり、クランプ９の先で二股に分けられる。
【００１４】
一方は、駆動モータ５に前記インバータからの三相交流電力を供給するモータ電力供給線１０ｕ、１０ｖ、１０ｗと、駆動モータ５のロータ５ａ近傍に取り付けられた回転位置センサ（図示せず）と前記制御装置とに接続される３本の信号線１１ｕ、１１ｖ、１１ｗ及び共通線１１ｃとである。他方は、水受槽２に取り付けられている二つの振動センサ（図示せず）に接続される４本の信号線１２ａ、１２ｂ、１２ｃ、１２ｄである。
【００１５】
モータ電力供給線１０ｕ、１０ｖ、１０ｗは、それぞれコネクタ１３ｕ、１３ｖ、１３ｗによって駆動モータ５の電力供給端子（図示せず）に接続され、３本の信号線１１ｕ、１１ｖ、１１ｗ及び共通線１１ｃは、４針のコネクタ１４によって前記回転位置センサに接続されている。４本の信号線１２ａ、１２ｂ、１２ｃ、１２ｄは、前記二つの振動センサから延出する４本の信号線（図１、図２において当該信号線の束１５を図示）と４針のコネクタ（図示せず）で中継されて接続される。このため、前記制御装置から延出する信号線１２ａ、１２ｂ、１２ｃ、１２ｄと、前記二つの振動センサから延出する上記４本の信号線とは、上記コネクタにより分離可能である。
【００１６】
前記コネクタはその両端に接続されている上記両信号線の一部とともに難燃性の素材からなる筒状体１６に収納され、その筒状体１６の両端開口部は難燃性粘着テープ１７で巻回され液密状に閉じられコネクタ収納部１８が構成されている。当該コネクタ収納部１８は、後述する防炎板７に一体成型されたＬ字型の延設部１９により水受槽２側に押さえられ、水受槽２の背面部４に形成されたリブ切り欠き部２０を通り、水受槽２の背面部４に設けられたリブ２１で仕切られた凹部２２に収納される。
【００１７】
なお、モータ電力供給線１０ｕ、１０ｖ、１０ｗ及び３本の信号線１１ｕ、１１ｖ、１１ｗ及び共通線１１ｃは、その途中でクランプ９ａ、９ｂにより水受槽２の背面部４に留められ、前記二つの振動センサから延出する４本の信号線（図１、図２において当該信号線の束１５を図示）は、その途中でクランプ９ｃ、９ｄにより水受槽２の背面部４に留められている。
【００１８】
次に、図３、４を用い、防炎板７の構成について詳細に説明する。図３は防炎板７正面（水受槽２では背面）の斜視図であり、図４は防炎板７裏面の斜視図である。
防炎板７は、難燃性ＡＢＳ（アクリロニトリル・ブタジエン・スチレン共重合合成樹脂）からなり、略扇型の基板部２３、その基板部２３の左側辺部に前方に向かって一体に成型された円弧状側板部２５、及び基板部２３の上端部に後方に伸びる一体に成型された庇たる長方形状板部２７を有する。
【００１９】
基板部２３は、上端部の中央部にＬ字型の延設部１９を同一平面状に一体的に有し、更にクランプ９をねじ２８（図１参照）で止めるためのねじ孔２９、螺着用ボス３０、防炎板７を水受槽２の背面部４にねじ止めするために用いるねじ３１（図１参照）のための貫通孔３２、及びクランプ９の回転止めに用いられる突起部３３を有する。
延設部１９は位置決め孔３４と貫通孔３５とを有する。この位置決め孔３４は、水受槽２の背面部４に設けられた突起部３６（図１参照）が挿入するためのものであり、これにより水受槽２の背面部４への防炎板７の取り付け位置を定める。貫通孔３５には防炎板７を水受槽２の背面部４にねじ止めするために用いるねじ３７（図１参照）が挿通する。
【００２０】
円弧状側板部２５は、防炎板７が水受槽２の背面部４に取付けられたときに水受槽２の周壁面にその全体が当接するように形成されている。
長方形状板部２７は矩形状の切り欠き部３８を有し、この切り欠き部３８は筒状体１６が嵌挿する（図１参照）。
なお、防炎板７はねじ３１、３７により水受槽２の背面部４に取り付けられているが、ねじ３１、３７は水受槽２の背面部４のリブに一体的に形成されている螺着用ボス（図示せず）に螺着されている。
【００２１】
本実施形態に係る洗濯乾燥機の洗い、すすぎ、脱水の洗濯運転、及び乾燥運転動作中、水受槽２は振動する。電源ケーブル８のクランプ９により固定されている部分の直下部分は、繰り返し屈曲する。当該繰り返し屈曲は、長期間にわたると、上記電源ケーブル８を断線させ、当該断線箇所からアークが発生する可能性がある。
本実施形態に係る洗濯乾燥機においては、前述のようなアークが発生して過電流が流れると、内蔵のブレーカのトリップ若しくは電流ヒューズの溶断により電源遮断状態となる安全対策が施されている。
【００２２】
しかし、上記ブレーカ若しくは上記電流ヒューズが万が一劣化故障していた場合は、上記アークが持続的に発生し、その周辺部から発火する可能性は否定できない。その発火部分は難燃性クッション８ａに被覆されているので容易には発火しないが、繰り返し屈曲により難燃性クッション８ａが破損していた場合にはその防炎効果は見込めない。このような状況でも電源ケーブル８は防炎板７に取付けられているため、電源ケーブル８と水受槽２との間にはその防炎板７があり、電源ケーブル８から発生した炎が防炎板７により受け止められ水受槽２への延焼を防ぐことができる。
【００２３】
防炎板７は、円弧状側板部２５を有しているため当該炎が横に広がったとしても水受槽２の周壁面に延焼することはなく、また長方形状板部２７を有しているため当該炎が上方へ伸び上がるのを抑制することができる。さらに、コネクタ収納部１８は、Ｌ字型の延設部１９により水受槽２側に押さえられ凹部２２に収納されている。このため、長方形状板部２７が有する切り欠き部３８から前記炎が伸びあがったとしてもコネクタ収納部１８及びその先の信号線の束１５に延焼することを防止できる。
【００２４】
（第２の実施形態）
本発明の第２の実施形態につき、図５ないし図７を参照して説明する。なお、上記第１の実施形態と同一部分には同一符号を付し、その詳細な説明は省略する。
図７は後述する防炎板４０が取り付けられた水受槽２の部分拡大斜視図である。図７に示すように、水受槽２の背面部４には駆動モータ５が固定されており、この駆動モータ５の重量により水受層２の背面側に偏った重心を水受槽２の中心に位置させるように水受槽２の周壁底面前部の左右両側に２個ずつの計４個のバランサ４１が取り付けられている。このバランサ４１は、金属で構成されており、本発明でいう不燃部材に相当する。このような状態で水受槽２が外箱１内で複数の弾性支持機構３を介して弾性支持されている。
【００２５】
外箱１内の上部１ａには、ヒートポンプに代わる乾燥装置（図示せず）が配設されている。この乾燥装置は、ヒータとファンモータと送風ファンを備えており、当該ヒータにより加熱された空気がファンモータによって回転される送風ファンの風圧によりダクト６を介して上記ドラム内に熱風として送り込まれる周知の構成である。
【００２６】
次に、本実施形態における電気的構成について述べる。外箱１内の底部１ｂには、図示はしないが、前述したように、マイクロコンピュータを主体に構成された制御装置と、この制御装置により制御されるインバータ及び各種駆動部とが設けられている。
図５及び図６に示すように、水受槽２の周壁底部４３に防炎板４０がねじ止めされ、この防炎板４０の下端面には、クランプ９（電源ケーブルの固定部に相当）がねじ止めされている。電源ケーブル４２は、外箱１の底部１ｂから導出され、電源ケーブル４２の一部を巻回する難燃性のクッション付粘着テープ４４とともにクランプ９に挟支され防炎板４０に固定されている。従って、クランプ９が防炎板４０に電源ケーブル４２を固定する固定部に相当する。電源ケーブル４２は、１０本の電線の束であり、クランプ９の先で二股に分けられている。
【００２７】
二股に分かれている電源ケーブル４２の一方は、前述したように、駆動モータ５にインバータからの三相交流電力を供給するモータ電力供給線１０ｕ、１０ｖ、１０ｗと、駆動モータ５のロータ５ａ近傍に取付けられた回転位置センサ（図示せず）と上記制御装置とに接続される３本の信号線１１ｕ、１１ｖ、１１ｗ及び共通線１１ｃとである（図７参照）。
【００２８】
二股に分けられている電源ケーブル４２の他方は、水受槽２のダクト７の排気口（図示せず）近くに取り付けられている二つの温度センサ（図示せず）に接続される２本の信号線４５ａ、４５ｂ及びアースに接続される共通線４６である（図６参照）。なお、電源ケーブル４２のクランプ９から駆動モータ５までの部分は、２個の電源ケーブル留５７ａ、５７ｂにより水受槽２に留められている（図７参照）。
【００２９】
次に、図５及び図７を用いて、防炎板４０の構成について詳細に説明する。図５は防炎板４０を前方下側から見た斜視図である。防炎板４０は、難燃性ＡＢＳからなり、水受槽２の周壁底部４３にねじにより取り付けられている。
防炎板４０は、略台形板状の基板部４７とこの基板部４７の周縁部に下方に向けて一体的に突設されている壁４８を備えている。壁４８は、バランサ４１に臨む部分に切り欠き部４９を有している。さらに、防炎板４０は、その基板部４７に二つの貫通孔５０、５１を有する。防炎板４０は、ねじ５２、５３を貫通孔５０、５１に挿入し水受槽２の周壁底部４３のリブ２１に設けられたねじ孔（図示せず）に螺着させることにより、水受槽２の周壁底部４３に固定される。
【００３０】
また、防炎板４０は、その基板部４７に後述のドライバ（ネジ回し）を挿入する貫通口（図示せず）を有し、その貫通口の周縁部に下方に向けて一体的に突設される円筒５４を備える。上記ドライバは、バランサ４１を水受槽２に取り付けるためのねじ（図示せず）を回すために用いる。基板部４７の貫通孔５５は防炎板４０の位置決め用の孔であり、水受槽２の周壁底部４３のリブ２１の下端面に一体的に設けられた突起部５６が貫通孔５５に貫入することにより水受槽２における防炎板４０の位置が決まる。
【００３１】
本実施形態に係る洗濯乾燥機は、第１の実施形態に係る洗濯乾燥機と同様に、電源ケーブル４２の断線箇所からアークが発生して過電流が流れると、内蔵のブレーカのトリップ若しくは電流ヒューズの溶断により電源遮断状態となる安全対策が施されている。
しかし、上記ブレーカ若しくは上記電流ヒューズが万が一劣化故障していた場合は、上記アークが持続的に発生し、その周辺部から発火する可能性は否定できない。その発火部分はクッション付粘着テープ４４に被覆されているので容易には発火しないが、繰り返し屈曲によりクッション付粘着テープ４４が破損していた場合にはその防炎効果は見込めない。このような状況下でも電源ケーブル４２は防炎板４０に取付けられているため、電源ケーブル４２と水受槽２との間には防炎板４０があり、電源ケーブル４２から発生した炎が防炎板４０により水受槽２への延焼を防ぐことができる。
【００３２】
さらに、電源ケーブル４２の断線箇所から発生する炎が大きくなったとしても、炎とともに発生する気流が炎を矢印に示すごとく防炎板４０の切り欠き部４９へ導く（図５参照）。切り欠き部４９の先には不燃部材である金属でできたバランサ４１があるため、炎の延焼は他の可燃性部材の部位に及ぶことはなくバランサ４１に導かれ、これにより抑制することができる。
【００３３】
また、防炎板４０の基板部４７には円筒５４が一体的に設けられているため、この円筒５４により上記ドライバを挿入する貫通口（図示せず）に炎が入りこむことを防止することができる。
【００３４】
（第３の実施形態）
本発明の第３の実施形態につき、図８を参照して説明する。図８は後述する防炎板６０を前方下側から見た斜視図である。なお、上記第１の実施形態と同一部分には同一符号を付し、その詳細な説明は省略する。本実施形態に係る構成は、防炎板６０を除いて第２の実施形態と同様である。
【００３５】
防炎板６０は、難燃性ＡＢＳからなり、略正方形板状の基板部６１とこの基板部６１の周縁部には壁６２が一体的に下方に突設されている。さらに、壁６２の内壁に沿う基板部６１の周縁部に上方に凹となる溝６３が形成されている。
このため、万が一電源ケーブル４２から発火したとしても、電源ケーブル４２と水受槽２との間には防炎板６０があり、電源ケーブル４２から発生した炎が防炎板６０により水受槽２への延焼を防ぐことができる。
【００３６】
さらに、電源ケーブル４２の断線箇所から発生する炎が大きくなったとしても、炎は矢印に示すごとく溝６３に入り込み左右に分岐する。このため、炎は防炎板６０の壁６２より外に飛び出ることはなく水受槽２への延焼を防ぐことができる。
【００３７】
（第４の実施形態）
本発明の第４の実施形態につき、図９を参照して説明する。図９は後述する防炎板７０を前方下側から見た斜視図である。なお、上記第１の実施形態と同一部分には同一符号を付し、その詳細な説明は省略する。本実施形態に係る構成は、防炎板７０を除いて第２の実施形態と同様である。
【００３８】
防炎板７０は、難燃性ＡＢＳからなり、略正方形板状の基板部７１とこの基板部７１の周縁部には内周壁７２（壁に相当）が一体的に下方に突設され、さらに内周壁７２の外周に外周壁７３（壁に相当）が一体的に下方に突設されている。
このため、万が一電源ケーブル４２から発火したとしても、電源ケーブル４２と水受槽２との間には防炎板７０があり、電源ケーブル４２から発生した炎が防炎板７０により水受槽２への延焼を防ぐことができる。
【００３９】
さらに、電源ケーブル４２の断線箇所から発生する炎が大きくなり内周壁７２を炎が越えるような場合が生じたとしても、炎は矢印に示すごとく外周壁７３で止められる（図９参照）。さらに炎は内周壁７２と外周壁７３との間に成形された上方に凹となる溝７４をつたい左右に分岐する。このため、防炎板７０の周縁部に下向きの壁を２重に設けることで、炎は外周壁７３より外に飛び出ることはなく水受槽２への延焼を防ぐことができる。
【００４０】
（その他の実施形態）
本発明は上記し且つ図面に記載した実施形態にのみ限定されるものではなく、以下のような変形または拡張が可能である。
駆動モータ５は回転位置センサを有するが、この種のモータに限らず回転センサを有しないものであってもよい。例えば、ベクトル制御により駆動される位置センサレスモータであってもよい。
【００４１】
また、防炎板７は難燃性ＡＢＳからなるものであるが、これに限らず金属等の不燃材料やその他難燃材料であってもよい。
また、第１の実施形態に係る洗濯乾燥機はヒートポンプ（冷凍サイクル）により洗濯物から湿気を奪っているが、これに限らずヒータにより洗濯物から湿気を奪う方式のものであってもよい。第２ないし第４の実施形態に係る洗濯乾燥機はヒータにより洗濯物から湿気を奪っているが、これに限らずヒートポンプ（冷凍サイクル）により洗濯物から湿気を奪う方式のものであってもよい。
また、第４の実施形態に係る防炎板７０にその周縁部に下向きの壁を２重に設ける例を示したが、２重に限ることはなく防炎板の周縁部に下向きの壁を３重以上に設けてもよい。
【図面の簡単な説明】
【００４２】
【図１】本発明の第１の実施形態に係る洗濯乾燥機の背面カバーを取り除いた状態の背面の部分拡大図
【図２】洗濯乾燥機の背面カバーを取り除いた状態の背面図
【図３】防炎板の正面の斜視図
【図４】防炎板の裏面の斜視図
【図５】本発明の第２の実施形態に係る図１相当図
【図６】洗濯乾燥機の図２相当図
【図７】水受槽を前方下側から見た斜視図
【図８】本発明の第３の実施形態に係る図１相当図
【図９】本発明の第４の実施形態に係る図１相当図
【符号の説明】
【００４３】
図面中、１は外箱、２は水受槽、３は弾性支持機構、５は駆動モータ、７、４０、６０、７０は防炎板、８、４２は電源ケーブル、９はクランプ（固定部）、９ａ、９ｂ、９ｃ、９ｄはクランプ、１０ｕ、１０ｖ、１０ｗはモータ電力供給線、１２ａ〜１２ｄは信号線、１８はコネクタ収納部、１５は束（信号線）、１９は延設部、２５は円弧状側板部、２７は長方形状板部（庇）、４１はバランサ（不燃部材）、４３は周壁底部、４８、６２は壁、４９は切り欠き部、６３、７４は溝、７２は内周壁（壁）、７３は外周壁（壁）を示す。
【図１】
2010057881.tif 000003
【図２】
2010057881.tif 000004
【図３】
2010057881.tif 000005
【図４】
2010057881.tif 000006
【図５】
2010057881.tif 000007
【図６】
2010057881.tif 000008
【図７】
2010057881.tif 000009
【図８】
2010057881.tif 000010
【図９】
2010057881.tif 000011